(57)【要約】【課題】複数の選択肢から効率良く一の選択肢を選択できる電子機器および複数の選択肢から効率良く一の選択肢を選択する方法を提供する。【解決手段】携帯電話機１は、入力操作キー１４と、入力操作キー１４により操作が検出されてからの経過時間を測定するタイマー２１と、操作が検出されてからの経過時間と複数の文字とを対応づけて記憶する記憶部２２と、入力操作キー１４に対する１回目の操作が検出された後に２回目の操作が検出されると記憶部２２に記憶された複数の文字の中から１回目の操作から２回目の操作までの経過時間に対応づけられた一の文字を選択する制御部５０と、を備える。【選択図】図６
2011114607.tif 000002
【特許請求の範囲】
【請求項１】
操作部と、
前記操作部に対する操作を検出する操作検出部と、
当該操作検出部により操作が検出されてからの経過時間を測定する測定部と、
複数の選択肢と前記複数の選択肢のそれぞれに対応して設定される設定時間を対応づけて記憶する記憶部と、
前記操作部に対する第１の操作が検出された後に前記操作部に対する第２の操作が検出された場合、前記測定部により前記第１の操作から前記第２の操作までの経過時間を測定すると共に、前記記憶部に記憶された前記設定時間の中で前記第１の操作から前記第２の操作までの経過時間に対応する設定時間と対応づけられた選択肢を選択する制御部と、を備える電子機器。
【請求項２】
表示部をさらに備え、
前記制御部は、前記経過時間に応じて選択した前記選択肢を前記表示部に表示することを特徴とする請求項１に記載の電子機器。
【請求項３】
前記制御部は、前記操作部に対する前記第１の操作が検出されると前記測定部により前記第１の操作が検出されてからの経過時間を測定し、
前記第１の操作が検出されてからの経過時間に応じた設定時間に対応づけられた前記選択肢を前記表示部に順次表示することを特徴とする請求項２に記載の電子機器。
【請求項４】
操作部と、前記操作部に対する操作を検出する操作検出部を備える電子機器の制御方法であって、
前記操作部に対する第１の操作を検出する第１検出工程と、
前記操作部により第１の操作が検出されてからの経過時間を測定する測定工程と、
前記操作部に対する第２の操作を検出する第２検出工程と、
前記第１検出工程において第１の操作が検出されてから前記第２検出工程において前記第２の操作が検出されるまでの経過時間に対応づけられた一の選択肢を前記複数の選択肢の中から選択する選択工程と、
を有する電子機器の制御方法。
【発明の詳細な説明】
【技術分野】
【０００１】
本発明は、携帯電話機等の電子機器および電子機器の制御方法に関する。
【背景技術】
【０００２】
従来、操作検出部に対する操作により、複数の選択肢から一の選択肢を選択する電子機器が知られている（例えば、特許文献１）。
【先行技術文献】
【特許文献】
【０００３】
【特許文献１】特開２００１−５５８９号公報
【発明の概要】
【発明が解決しようとする課題】
【０００４】
ここで、特許文献１に記載されている電子機器では、操作検出部に対する操作の回数と複数の選択肢とが対応づけられているため、複数の選択肢から一の選択肢を選択するために行う操作の回数が多くなる場合があり、効率が悪いという課題があった。
【０００５】
本発明は上記の課題に鑑みてなされたもので、複数の選択肢から効率良く一の選択肢を選択できる電子機器および電子機器の制御方法を提供することを目的とする。
【課題を解決するための手段】
【０００６】
上記課題を解決するために、本発明に係る電子機器は、操作部と、前記操作部に対する操作を検出する操作検出部と、当該操作検出部により操作が検出されてからの経過時間を測定する測定部と、複数の選択肢と前記複数の選択肢のそれぞれに対応して設定される設定時間を対応づけて記憶する記憶部と、前記操作部に対する第１の操作が検出された後に前記操作部に対する第２の操作が検出された場合、前記測定部により前記第１の操作から前記第２の操作までの経過時間を測定すると共に、前記記憶部に記憶された前記設定時間の中で前記第１の操作から前記第２の操作までの経過時間に対応する設定時間と対応づけられた選択肢を選択する制御部と、を備える。
【０００７】
また、好適には、表示部をさらに備え、前記制御部は、前記経過時間に応じて選択した前記選択肢を前記表示部に表示する。
【０００８】
また、好適には、前記制御部は、前記操作部に対する前記第１の操作が検出されると前記測定部により前記第１の操作が検出されてからの経過時間を測定し、前記第１の操作が検出されてからの経過時間に応じた設定時間に対応づけられた前記選択肢を前記表示部に順次表示する。
【０００９】
また、上記課題を解決するために、本発明に係る電子機器の制御方法は、操作部と、前記操作部に対する操作を検出する操作検出部を備える電子機器の制御方法であって、前記操作部に対する第１の操作を検出する第１検出工程と、前記操作部により第１の操作が検出されてからの経過時間を測定する測定工程と、前記操作部に対する第２の操作を検出する第２検出工程と、前記第１検出工程において第１の操作が検出されてから前記第２検出工程において前記第２の操作が検出されるまでの経過時間に対応づけられた一の選択肢を前記複数の選択肢の中から選択する選択工程とを有する。
【発明の効果】
【００１０】
本発明によれば、複数の選択肢から効率良く一の選択肢を選択できる
【図面の簡単な説明】
【００１１】
【図１】携帯電話機１を開いた状態における外観斜視図である。
【図２】操作キー群１１の正面図である。
【図３】携帯電話機１の基本的な構成要素を示したブロック図である。
【図４】携帯電話機１の動作例を示すフローチャートである。
【図５】経過時間ｔと文字とを対応づけたテーブルの例を示す図である。
【図６】図４に示すフローチャートに対応した表示部３１の状態を時系列で示す図である。
【図７】経過時間ｔに係る閾値の設定方法を示す図である。
【発明を実施するための形態】
【００１２】
以下、図面を参照して本発明を実施するための形態を説明する。図１は、本実施形態における電子機器としての携帯電話機１を開いた状態における外観斜視図である。
【００１３】
図１に示すように、携帯電話機１は、操作部側筐体２と、表示部側筐体３と、を備える。操作部側筐体２と表示部側筐体３とは、ヒンジ機構を備える連結部４を介して開閉可能に連結される。具体的には、操作部側筐体２の上端部と表示部側筐体３の下端部とは、連結部４を介して連結される。これにより、携帯電話機１は、ヒンジ機構を介して連結された操作部側筐体２と表示部側筐体３とを相対的に動かすことが可能に構成される。つまり、携帯電話機１は、操作部側筐体２と表示部側筐体３とが開いた状態（開状態）と、操作部側筐体２と表示部側筐体３とが折り畳まれた状態（閉状態）にすることができる。ここで、閉状態とは、両筐体が互いに重なるように配置された状態であり、開状態とは、両筐体が互いに重ならないように配置された状態をいう。
【００１４】
操作部側筐体２は、操作キー群１１と、携帯電話機１の使用者が通話時に発した音声が入力される音声入力部１２とを備える。
【００１５】
音声入力部１２は、操作部側筐体２の長手方向における連結部４側と反対の下端部側に配置される。つまり、音声入力部１２は、携帯電話機１が開状態において一方の下端部側に配置される。
【００１６】
表示部側筐体３は、各種情報を表示するための表示部３１と、通話の相手側の音声を出力する音声出力部３２とを備える。ここで、表示部３１は、液晶パネルと、この液晶パネルを駆動する駆動回路と、この液晶パネルの背面側から光を照射するバックライト等の光源部とから構成される。
【００１７】
次に、図２により、入力操作キー１４について説明する。図２は、操作キー群１１の正面図である。
【００１８】
入力操作キー１４は、オフフックキー１４ａと、クリアキー１４ｂと、オンフックキー１４ｃと、テンキー１４ｄとから構成される。テンキー１４ｄには、それぞれひらがなやアルファベット等の文字が割り当てられている。
【００１９】
図３は、携帯電話機１の基本的な構成要素を示したブロック図である。図３に示されるように、携帯電話機１は、操作キー群１１と、音声入力部１２と、測定部としてのタイマー２１と、記憶部２２と、表示部３１と、音声出力部３２と、通信部３３と、制御部５０とを有して構成される。
【００２０】
操作キー群１１は、各種設定や電話帳機能やメール機能等の各種機能を作動させるための機能設定操作キー１３と、電話番号の数字やメール等の文字等を入力するための入力操作キー１４（操作部）と、各種操作における決定や上下左右方向のスクロール等を行う決定操作キー１５とにより構成される。操作キー群１１を構成する各キーそれぞれには、操作部側筐体２と表示部側筐体３との開閉状態や各種モード、あるいは起動されているアプリケーション等の種類に応じて所定の機能が割り当てられる（キー・アサイン）。そして、使用者が各キーを押圧することにより、各キーに割り当てられている機能に応じた動作が実行される。
【００２１】
入力操作キー１４は、当該キー１４に対する入力操作を検出することができる。すなわち、入力操作キー１４に対する操作が行われると、入力操作キー１４は電気信号を制御部５０に送信する。
【００２２】
オフフックキー１４ａに対する操作が検出されると、例えば制御部５０により通信部３３による通信（通話）が開始される。クリアキー１４ｂに対する操作が行われると、例えば制御部５０により直前の操作が取り消される。オンフックキー１４ｃに対する操作が検出されると、例えば制御部５０により現在の操作が終了し、待ち受け画面に戻る。オンフックキー１４ｃに対する長押し操作が検出されると、制御部５０により携帯電話機１の電源がオフになる。
【００２３】
テンキー１４ｄには、それぞれひらがなやアルファベット等の文字が割り当てられている。例えば、「１」キーに対する操作が検出されると、制御部５０により、後述の記憶部２２に記憶された「あ」「い」「う」「え」「お」等の文字の中から１つの文字が選択される。
【００２４】
音声入力部１２は、入力される音を電気信号に変えて通信部３３により送信可能にする。
【００２５】
タイマー２１は、携帯電話機１の動作に係る時間を測定することができる。例えば、タイマー２１は、入力操作キー１４に対する操作が検出されてからの経過時間を測定することができる。
【００２６】
記憶部２２は、携帯電話機１に係る種々の情報を記憶する記憶デバイスである。記憶部２２には、写真データや音楽データ、そして後述する図４に示すフローチャートに沿って本実施形態の動作を実現するためのプログラム等が格納されている。
【００２７】
また、記憶部２２は、「あ」「い」「う」「え」「お」「ａ」「ｂ」「ｃ」「ｄ」「ｅ」等の文字（複数の選択肢）を記憶する。これらの文字は、後述する経過時間ｔに対応づけられている。
【００２８】
表示部３１は、液晶や有機ＥＬ（Ｅｌｅｃｔｒｏ  Ｌｕｍｉｎｅｓｃｅｎｃｅ）等で構成される表示デバイスであり、携帯電話機１に係る種々の情報を表示する。
【００２９】
音声出力部３２は、通信部３３により受信した信号を音に変えて出力する。
【００３０】
通信部３３は、音声通信、メールの送受信、インターネットへの接続、ＧＰＳ（Ｇｌｏｂａｌ  Ｐｏｓｉｔｉｏｎｉｎｇ  Ｓｙｓｔｅｍ）信号の受信等の通信を行う。
【００３１】
制御部５０は、上記の携帯電話機１の各構成要素の動作を、記憶部２２に格納されたプログラムによって制御する。制御部５０は、音声入力部１２、タイマー２１、表示部３１、音声出力部３２に対して所定の制御信号を送信する。
【００３２】
また、制御部５０は、入力操作キー１４から送信される信号を受信すると、入力操作キー１４に対する操作を検出する。すなわち、制御部５０は、操作検出部としても動作する。
【００３３】
以下、携帯電話機１の具体的な動作について、図４乃至図６を参照しながら説明する。図４は、携帯電話機１の動作例を示すフローチャートである。図５は、経過時間ｔと文字とを対応づけたテーブルの例を示す図である。図６は、図４に示すフローチャートに対応した表示部３１の状態を時系列で示す図である。
【００３４】
本実施形態においては、図５に示すように、入力操作キー１４のテンキー１４ｄに含まれる「１」キーに対する１回目の操作（第１の操作）が検出されてから２回目の操作（第２の操作）が検出されるまでの経過時間ｔと「あ」「い」「う」「え」「お」の文字とが対応づけられている。
【００３５】
まず、「１」キーに対する１回目の操作が検出されると、制御部５０はタイマー２１をスタートさせて１回目の操作が検出されてからの経過時間ｔの測定を開始させる（ステップＳ１）。ここで、図６（ｂ）の一番左に示すように、制御部５０は表示部３１に「あ」の文字を表示させる（ステップＳ２）。
【００３６】
そして、制御部５０は、「１」キーに対する２回目の操作が経過時間ｔ１以内に検出されたかを判断する（ステップＳ３）。「１」キーに対する２回目の操作が経過時間ｔ１以内に検出されたと制御部５０が判断した場合には（ステップＳ３でＹＥＳ）、制御部５０により「あ」の文字の入力が確定される（ステップＳ４）。すなわち、制御部５０によって、記憶部２２に記憶された「あ」「い」「う」「え」「お」の中から、１回目の操作から２回目の操作までの経過時間ｔに対応づけられた「あ」が選択される。入力が確定すると、制御部５０はタイマー２１による経過時間ｔの測定をストップさせ（ステップＳ１７）、一連の処理を終了する。
【００３７】
一方、ステップＳ３において「１」キーに対する２回目の操作が経過時間ｔ１以内に検出されない、すなわち２回目の操作が検出されずに時間ｔ１が経過したと制御部５０が判断した場合には（ステップＳ３でＮＯ）、図６（ｂ）の左から２番目に示すように、制御部５０は表示部３１に「い」の文字を表示させる（ステップＳ５）。
【００３８】
そして、制御部５０は、「１」キーに対する２回目の操作が経過時間ｔ２以内に検出されたかを判断する（ステップＳ６）。「１」キーに対する２回目の操作が経過時間ｔ２以内に検出されたと制御部５０が判断した場合には（ステップＳ６でＹＥＳ）、制御部５０により「い」の文字の入力が確定される（ステップＳ７）。入力が確定すると、制御部５０はタイマー２１による経過時間ｔの測定をストップさせ（ステップＳ１７）、一連の処理を終了する。
【００３９】
一方、ステップＳ６において「１」キーに対する２回目の操作が経過時間ｔ２以内に検出されない、すなわち２回目の操作が検出されずに時間ｔ２が経過したと制御部５０が判断した場合には（ステップＳ６でＮＯ）、図６（ｂ）の中央に示すように、制御部５０は表示部３１に「う」の文字を表示させる（ステップＳ８）。
【００４０】
そして、制御部５０は、「１」キーに対する２回目の操作が経過時間ｔ３以内に検出されたかを判断する（ステップＳ９）。「１」キーに対する２回目の操作が経過時間ｔ３以内に検出されたと制御部５０が判断した場合には（ステップＳ９でＹＥＳ）、制御部５０により「う」の文字の入力が確定される（ステップＳ１０）。入力が確定すると、制御部５０はタイマー２１による経過時間ｔの測定をストップさせ（ステップＳ１７）、一連の処理を終了する。
【００４１】
一方、ステップＳ９において「１」キーに対する２回目の操作が経過時間ｔ３以内に検出されない、すなわち２回目の操作が検出されずに時間ｔ３が経過したと制御部５０が判断した場合には（ステップＳ９でＮＯ）、図６（ｂ）の右から２番目に示すように、制御部５０は表示部３１に「え」の文字を表示させる（ステップＳ１１）。
【００４２】
そして、制御部５０は、「１」キーに対する２回目の操作が経過時間ｔ４以内に検出されたかを判断する（ステップＳ１２）。「１」キーに対する２回目の操作が経過時間ｔ４以内に検出されたと制御部５０が判断した場合には（ステップＳ１２でＹＥＳ）、制御部５０により「え」の文字の入力が確定される（ステップＳ１３）。入力が確定すると、制御部５０はタイマー２１による経過時間ｔの測定をストップさせ（ステップＳ１７）、一連の処理を終了する。
【００４３】
一方、ステップＳ１２において「１」キーに対する２回目の操作が経過時間ｔ４以内に検出されない、すなわち２回目の操作が検出されずに時間ｔ４が経過したと制御部５０が判断した場合には（ステップＳ１２でＮＯ）、図６（ｂ）の一番右に示すように、制御部５０は表示部３１に「お」の文字を表示させる（ステップＳ１４）。
【００４４】
そして、制御部５０は、「１」キーに対する２回目の操作が経過時間ｔ５以内に検出されたかを判断する（ステップＳ１５）。「１」キーに対する２回目の操作が経過時間ｔ５以内に検出されたと制御部５０が判断した場合には（ステップＳ１５でＹＥＳ）、制御部５０により「お」の文字の入力が確定される（ステップＳ１６）。入力が確定すると、制御部５０はタイマー２１による経過時間ｔの測定をストップさせ（ステップＳ１７）、一連の処理を終了する。
【００４５】
一方、ステップＳ１５において「１」キーに対する２回目の操作が経過時間ｔ５以内に検出されないと制御部５０が判断した場合には（ステップＳ１５でＮＯ）、制御部５０はタイマー２１による経過時間ｔの測定をストップさせ（ステップＳ１７）、一連の処理を終了する。
【００４６】
なお、上述したように、本実施形態に係る携帯電話機１においては、「１」キーに対して１回目の操作があってから２回目の操作があるまでの経過時間ｔに応じて「あ」「い」「う」「え」「お」のうち１つの文字が選択される。これに加えて、本実施形態に係る携帯電話機１においては、従来のようにテンキー１４ｄに対する操作の回数に応じて「あ」「い」「う」「え」「お」のうち１つの文字が選択されるような制御が可能である。これにより、記憶部２２に記憶された上述の経過時間ｔに係る閾値ｔ１、ｔ２、ｔ３、ｔ４およびｔ５をユーザーの操作によって設定することができる。
【００４７】
図７を参照して、経過時間ｔに係る閾値の設定方法を説明する。閾値設定のための入力文字列を「ここのおと」とすると、１文字目の「こ」を入力するために「２」キーを５回操作する際の時間ｔ１１〜ｔ１４と、２文字目に移行するまでの時間ｔ１ｅｎｄを測定する。同様に２文字目以降における時間を測定し、それぞれにかかった時間の平均値を文字の切り替わり時間に設定する（例えば最初の文字の切り替わり時間ｔ１は、図中のｔ１１、ｔ２１、ｔ３１、ｔ４１およびｔ５１の５つの平均値となる）。
【００４８】
以上の構成を有する本実施形態の携帯電話機１によれば、入力操作キーのテンキー１４ｄに含まれる「１」キーに対する１回目の操作（第１の操作）が検出されてから２回目の操作（第２の操作）が検出されるまでの経過時間ｔに応じて、制御部５０により「あ」「い」「う」「え」「お」の文字の中から１つの文字が選択される。これにより、複数の文字から効率良く１つの文字を選択できる。
【００４９】
以上、好適な実施形態について説明したが、本発明は上述した実施形態に限定されることなく種々の形態で実施することができる。例えば、本実施形態において、電子機器として携帯電話機について説明しているが、これに限定されず、ＰＨＳ（登録商標；Ｐｅｒｓｏｎａｌ  Ｈａｎｄｙ  ｐｈｏｎｅ  Ｓｙｓｔｅｍ）、ＰＤＡ（Ｐｅｒｓｏｎａｌ  Ｄｉｇｉｔａｌ  Ａｓｓｉｓｔａｎｔ）、デジタルカメラ等のその他の電子機器であってもよい。
【００５０】
また、本実施形態においては、連結部４により折り畳み可能な携帯電話機１の説明をしているが、このような折り畳み式に限定されるものではなく、操作部側筐体２と表示部側筐体３との重ね合わせた状態から一方の筐体を一方向にスライドさせるようにしたスライド式や、操作部側筐体２と表示部側筐体３との重ね合せ方向に沿う軸線を中心に一方の筐体を回転させるようにした回転（ターン）式や、操作部側筐体２と表示部側筐体３とが一つの筐体に配置され連結部４を有さない型式（ストレートタイプ）でもよい。また、携帯電話機１は、開閉及び回転可能ないわゆる２軸ヒンジタイプであってもよい。
【００５１】
また、本実施形態においては、複数の選択肢として「あ」「い」「う」「え」「お」等の文字として説明を行っているが、本発明はこれに限定されず、例えば音楽再生リストの曲名やデジタルカメラの撮影モード等の選択肢であってもよい。
また、本実施形態においては、図４のフローチャートのステップＳ２、ステップＳ５、ステップＳ８、ステップＳ１１およびステップＳ１４において、制御部５０により表示部３１に「あ」「い」「う」「え」「お」の文字が表示されるが、本発明はこれに限定されず、タイマー２１により入力操作キー１４に対する１回目の操作が検出されてからの経過時間ｔに基づき、２回目の操作が検出されたときに表示部３１に文字を表示して入力を確定してもよい。
【００５２】
また、本実施形態においては、ステップＳ１５において時間ｔｅｎｄが経過したと制御部５０が判断した場合、またはステップＳ４、ステップＳ７、ステップＳ１０、ステップＳ１３およびステップＳ１６において入力が確定した場合には、ステップＳ１７においてタイマー２１が終了して一連の処理を終了するが、一連の処理を終了することなく、再び「あ」が表示部３１に表示されるよう制御部５０による制御を行ってもよい。すなわち、ステップＳ１５において時間ｔｅｎｄが経過した後も継続してタイマー２１により経過時間を測定し、「あ」「い」「う」「え」「お」の文字が循環して表示されるよう制御部５０により制御を行ってもよい。
【符号の説明】
【００５３】
１            携帯電話機（電子機器）
２            操作部側筐体
３            表示部側筐体
１１          操作キー群
１３          機能設定操作キー
１４          入力操作キー（操作部）
１５          決定操作キー
２１          タイマー（測定部）
２２          記憶部
３１          表示部
５０          制御部
【図１】
2011114607.tif 000003
【図２】
2011114607.tif 000004
【図３】
2011114607.tif 000005
【図４】
2011114607.tif 000006
【図５】
2011114607.tif 000007
【図６】
2011114607.tif 000008
【図７】
2011114607.tif 000009